(57)【要約】      （修正有）【課題】従来のマウスは構造的にも部品点数が多く高廉であり、また、タッチパネルの画面を指で触れることなく操作できるミニマウスを提供する。【解決手段】アルミニウム等の導電性材料にて指先で握れる大きさに成形してなる缶状（円柱状）のミニチュア電極体であり、マウス本体１の局部に孔部１ａを形成せしめる。マウス本体１は、例えば、直径１８〜２０×高さ３０ｍｍ程の中空円筒体を呈しており、接地面２が後述する電極線間隔の２倍程以上の直径を有する。従って、マウスパッド（図示せず）の上にタッチされた場合、換言すれば、読み取りの領域内に置かれた場合は、必ず、マウスパッドのＸ、Ｙ両軸の電極線（図示せず）に並列に信号が供給されるため、キーボードユニット（図示せず）に位置データとして認識され、座標の検出ができる。【選択図】図１
0003146804.tif 000002
【実用新案登録請求の範囲】
【請求項１】
指先で握れる大きさに成形されたミニマウスにおいて、マウス本体の外観が円柱等の有体物或いは昆虫、魚、動物、果物等の天然物若しくは缶、ボトル、キャラクターグッズ等の商品を模したミニチュア電極体であることを特徴とするミニマウス。
【請求項２】
前記マウス本体の一部又は全部に、指に保持するための凹部、孔部若しくはリングを備えたことを特徴とする請求項１に記載のミニマウス。
【考案の詳細な説明】
【技術分野】
【０００１】  本考案は主としてノート型パソコンにおけるマウスパッドや、銀行等の金融機関やコンビニエンスストア等に設置してある現金自動預払機（以下、単にＡＴＭという）の入力アイテムに関し、更に詳しくは、マウスそのもの自体がマウスパッドの座標となる信号を感知する導電電極体（電極部）となし、コードレスで、しかも、手の指よりもマウスパッドやタッチパネルの操作が簡単かつ円滑に行なえる衛生的なミニマウスに関する。
【背景技術】
【０００２】  従来、斯かるマウスとしては、例えば、本体に操作ボタンとフィードバック用キートップとを有し、かつ、上記本体の内部に、該フィードバック用キートップを振動させるアクチュエータが設けてあり、該アクチュエータが駆動して画面上のカーソルの重量感をフィードバック用キートップにフィードバックさせる構成のフォースフィードバックマウスにおいて、上記操作ボタンに対応する操作ボタン部とフィードバック用キートップに対応するフィードバック用キートップ部とが形成してあり、かつ、該フィードバック用キートップ部を囲む部分には蛇腹部が該フィードバック用キートップ部と該操作ボタン部との間を占めるように形成してある構造の単一のゴム製の操作部構成部品を備えている（特許文献１参照）。【０００３】  また、昨今では、銀行等の金融機関やコンビニエンスストア等ではＡＴＭ（Ａｕｔｏｍａｔｅｄ  Ｔｅｌｌｅｒ  Ｍａｃｈｉｎｅ）が設置されており、通常、紙幣（及び硬貨）、通帳、磁気カード等の受け入れ口、支払い口を備え、金融機関や貸金業者、現金出納を行う業者の提供するサービスが、顧客自身の指先で行うタッチパネル操作によって取引できるようになっている。
【特許文献１】特開２００５−１６５５２６
【考案の開示】
【考案が解決しようとする課題】
【０００４】  しかしながら、上述した従来のマウスにあっては、ケーブルによってパソコン本体の外部に接続されることから、ノートブックコンピュータのように、携行型の装置には不向きとされるため、別途、キーボード組込型の座標指示装置、例えば、トラックポイントなどを搭載しなければならないといった問題があり、構造的にも部品点数が増えてしまう分、高廉になっている。【０００５】  また、ＡＴＭ等のタッチパネル操作にあっては、いろんな人が同じタッチパネルの液晶画面を触ることから、衛生的見地らして嫌がる人が増えており、特に、潔癖性の人にあっては、タッチパネルの液晶画面を指で触れることなく操作できる指先アイテムが要望されている。【０００６】  本考案は斯かる問題点及び要望に鑑みてなされたもので、指先の腹よりもマウスパッドやタッチパネルの操作が簡単かつ円滑に行なえる他、直接、タッチパネル等の液晶画面を指で触れることがない衛生的なミニマウスを提供することを目的とするものである。
【課題を解決するための手段】
【０００７】  上述の如き従来の問題点を解決し、所期の目的を達成するため本考案の要旨とする構成は、指先で握れる大きさを有するミニマウスにおいて、少なくともマウス本体の外観が円柱等の有体物或いは昆虫、魚、動物、果物等の天然物若しくは缶、ボトル、キャラクターグッズ等の商品を模したミニチュア電極体であるミニマウスに存する。また、マウス本体の一部又は全部に、指に保持するための凹部、孔部若しくはリングを備えるのが良い。
【考案の効果】
【０００８】  本考案は上述のように構成され、マウス本体の外観が円柱等の有体物或いは昆虫、魚、動物、果物等の天然物若しくは缶、ボトル、キャラクターグッズ等の商品を模したミニチュア電極体であることによって、指先の腹で行うよりも使い勝手が良く、簡単かつ円滑にワンクリックやＷクリックもできる他、従来のマウスに使用されていた有接点の機械的スイッチ（クリックボタン）が不要になるといった優れた効果を奏する。【０００９】  また、パッドやパネルに直接触れることなく操作できるため、衛生的であると共に、マウス本体の一部又は全部に、指に保持するための凹部、孔部若しくはリングを備えることによって、キーホルダーやストラップの他、指輪にしても装着できるなど、今までにない斬新なスタイルのミニマウスを提供できる。【００１０】  このように本考案のミニマウスは、コードレスで、しかも、指先の腹よりもパッド操作が簡単かつ円滑に行なえる他、機械的スイッチが一切不要となるため、マウス自体の寿命に限界がなく、いつまでも使用でき、また、直接的にパッドやタッチパネルに触れることなく操作できるため、頗る衛生的であると共に、構成が単純であるため大量生産に適し、価格も低廉なものとして需要者に供給できるなど、本考案を実施することはその実益的価値が甚だ大である。
【考案を実施するための最良の形態】
【００１１】  少なくとも表面がアルミニウム等の導電性材料にて成形され指先で握れる大きさを有し、外観は、円柱等の有体物或いは昆虫、魚、動物、果物等の天然物若しくは缶、ボトル、キャラクターグッズ等の商品を模したミニチュア電極体で構成し、延いては、前記マウス本体の一部又は全部に、指に保持するための凹部、孔部若しくはリングを備えるのが良い。
【実施例１】
【００１２】  次に、本考案の第１実施例を図１乃至図２を参照しながら説明する。図中Ａは、本考案に係るミニマウスであり、このミニマウスＡは、アルミニウム等の導電性材料にて指先で握れる大きさに成形してなる缶状（円柱状）のミニチュア電極体であり、マウス本体１の局部に孔部１ａが形成されている。【００１３】  このマウス本体１は、例えば、直径１８〜２０×高さ３０ｍｍ程の中空円筒体を呈しており、接地面２が後述する電極線間隔の２倍程以上の直径を有するものである。【００１４】  従って、マウスパッド（図示せず）の上にタッチされた場合、換言すれば、読み取りの領域内に置かれた場合は、必ず、マウスパッドのＸ、Ｙ両軸の電極線（図示せず）に並列に信号が供給されるため、キーボードユニット（図示せず）に位置データとして認識され、座標の検出ができるのである。【００１５】  このように構成される本実施例のミニマウスは、マウス本体１の孔部１ａに指先を嵌め込むことができるため、子供や指先の不器用な人でも、安定した状態でマウスパッドのクリック操作やタッチパネル操作を行うことができるものである。【００１６】  次に、本考案に係るミニマウスの第２実施例を図３乃至図４を参照しながら説明する。
尚、理解を容易にするため、前述した第１実施例と同一部分は同一符号で示し、構成の異なる処のみを新たな番号を付して以下に説明する。【００１７】  図中Ｂは、第１実施例と同様、アルミニウム等の導電性材料にて指先で握れる大きさ成形してなるミニマウス（ミニチュア電極体）であり、このミニマウスＢは、ミニチュア電極体からなるマウス本体３と、該マウス本体３の上面に上下動自在に装着された操作部４と、該操作部４に連動してマウスパッド面を押圧する接地部５とを備えている。【００１８】  また、マウス本体３及び／又は操作部４の表面にキャラクターをプリントしたり、上面にキャラクター商品（図示せず）を立設すべく組み合わせても良い。更に、操作部４の下位には、バネ、蛇腹又はクリック感を醸し出す可撓性材料等からなる弾性部材（図示せず）が配設されており、操作部４を指で押圧しても元の状態に戻るように組み付けられている。従って、操作部４若しくはキャラクター商品を指でトンと一度打ち（単発）したり、トントンと二度打ち（連打）することで、その打数だけ接地部５が下がりマウスパッドの面上を押圧するため、所謂クリック操作が簡単かつ円滑に行える。【００１９】  このように構成される本考案のミニマウスは、マウスパッド（図示せず）上に置いた際、Ｘ、Ｙ両軸の電極線（図示せず）に並列に信号が供給され、位置データとして認識できるため、常套のマウスと同様に、座標の検出ができ、また、指先で上手く掴める大きさであることも相俟って、従来の如く指先の腹で行うよりも確実性が高まるため、使い勝手が良く、しかも、マウス本体３や操作部４を指で（若しくはキャラクター商品の部分を持って）、トンと一度打ち（単発）したり、トントンと二度打ち（連打）することで、簡単かつ円滑にワンクリックやＷクリックもできるため、従来のマウスに使用されていた有接点の機械的スイッチ（クリックボタン）が一切不要となるのである。【００２０】  尚、本考案はこれら実施例に限定されることなく、本考案の目的の範囲内で自由に設計変更し得るものであり、本考案はそれらの全てを包摂するものである。例えば、ミニマウスとしての操作性や趣向性を高めるために、中空のマウス本体内に玉等の遊動体を入れても良いものである。【００２１】  また、本実施例では、マウスパッドでの使用のみを説明しているが、これに限定されることなく、ＡＴＭ等のタッチパネルで使用することもできるものであり、この場合は、不特定多数の人が触る同じタッチパネルを指で触れることなく操作できるので、頗る衛生的であると共に、特に、潔癖性の人にあっては、タッチパネル用の指先アイテムとして重宝されるものである。【００２２】  更に、マウス本体１の外観は、本実施例に限定されるものではなく、ミッキーマウス（キャラクター名）、バットマン（キャラクター名）のキャラクター商品を模したネックストラップタイプや、缶やボトルを模したキーホルダータイプ、その他、昆虫、魚、動物、果物等の天然物等を模したものを使用しても良い。【００２３】  また、図示はしないが、キャラクター商品の一部若しくは全部を指で押圧若しくは接触することにより、前記操作部４及び／又は接地部５を連動するようにすれば、ミニマウスとしての趣���性及び商品価値を更に高めることができる。【００２４】  尚、本明細書で言及している導電性材料とは、本実施例で示したアルミニウムのみならず、鉄、銅、銀等の金属はもちろんのこと、表面を金属処理したもの、例えば、プラスチック等の非導電性成型品に導電性の金属で表面処理（例えば、金属蒸着）したものや、導電性プラスチック等をも包摂するものである。
【図面の簡単な説明】
【００２５】
【図１】  図１（ａ）は本考案に係るミニマウスの第１実施例を示す平面図、図１（ｂ）は同斜視図、図１（ｃ）は同斜視図である。
【図２】  図２（ａ）は本考案に係るミニマウスの第２実施例を示す平面図、図２（ｂ）は同縦断面図、図２（ｃ）は同側面図、図２（ｄ）は同縦断面図である。
【図３】  図３（ａ）は本考案に係るミニマウスの第３実施例を示す斜視図、図３（ｂ）は同正面図、図３（ｃ）は同縦断面図、図３（ｄ）は同平面図である。
【図４】  図４（ａ）は同正面図、図４（ｂ）は同組立分解斜視図、図４（ｃ）は同正面図である。
【符号の説明】
【００２６】      １  マウス本体
１ａ  孔部
２  接地面
３  マウス本体
４  操作部
５  接地面
【図１】
0003146804.tif 000003
【図２】
0003146804.tif 000004
【図３】
0003146804.tif 000005
【図４】
0003146804.tif 000006